(57)【要約】      （修正有）【課題】二番処理室から選別室へ排出された処理物を含む揺動選別装置上の処理物の量に応じて圧風唐箕から吹き出す選別風全体の吹き出し方向を変えることで、選別精度を高める。【解決手段】圧風唐箕５の選別風の吹き出し側に、該選別風の吹き出し方向を調節する上下一対の風向案内板８，９を設け、該上下一対の風向案内板８，９の間に選別風誘導路１０を形成し、二番処理室２から選別室３に排出される処理物を含む揺動選別装置４上の処理物の量を検出するセンサ１１を設け、該センサ１１によって検出される処理物の量に基づいて上下一対の風向案内板８，９の傾斜角度を調節して選別風誘導路１０からの選別風の吹き出し方向を自動的に変更する構成とする。【選択図】図１
2011200174.tif 000002
【特許請求の範囲】
【請求項１】
穀稈を脱穀する扱室（１）に二番物処理用の二番処理室（２）を併設し、該扱室（１）及び二番処理室（２）の下方に備える選別室（３）には、上側に揺動選別装置（４）を設け、該揺動選別装置（４）の下側に、選別方向上手側から圧風唐箕（５）、一番移送螺旋軸（６）、二番移送螺旋軸（７）の順に設け、前記圧風唐箕（５）の選別風の吹き出し側に、該選別風の吹き出し方向を調節する上下一対の風向案内板（８，９）を設け、該上下一対の風向案内板（８，９）の間に選別風誘導路（１０）を形成し、前記二番処理室（２）から選別室（３）に排出される処理物を含む揺動選別装置（４）上の処理物の量を検出するセンサ（１１）を設け、該センサ（１１）によって検出される処理物の量に基づいて前記上下一対の風向案内板（８，９）の傾斜角度を調節して選別風誘導路（１０）からの選別風の吹き出し方向を自動的に変更する構成としたことを特徴とする脱穀装置の選別制御装置。
【請求項２】
前記センサ（１１）によって検出される処理物の量が基準値に対して多くなるほど選別風の吹き出し方向を選別方向下手側の部位に向け、前記センサ（１１）によって検出される処理物の量が基準値に対して少なくなると、選別風の吹き出し方向を選別方向上手側の部位に向けるように、センサ（１１）によって検出される処理物の量に基づいて前記上下一対の風向案内板（８，９）の傾斜角度を自動的に制御する構成としたことを特徴とする請求項１記載の脱穀装置の選別制御装置。
【請求項３】
前記上下一対の風向案内板（８，９）は、夫々の回動の中心となる支点軸（１２，１３）を、前記選別風誘導路（１０）から離れた部位に配置し、該支点軸（１２，１３）が前記選別風誘導路（１０）内を通過する選別風に影響を与えない構成としたことを特徴とする請求項１記載の脱穀装置の選別制御装置。
【請求項４】
前記上下一対の風向案内板（８，９）は、制御信号に基づいて作動する制御モータ（１４）から伝動装置（１５）とリンク機構（１６）とを介して傾斜調節する構成とし、前記制御モータ（１４）、伝動装置（１５）、及びリンク機構（１６）は、脱穀装置（１７）の右側板（１９）の伝動装置（１８）を避けた部位に装備したことを特徴とする請求項１記載の脱穀装置の選別制御装置。
【発明の詳細な説明】
【技術分野】
【０００１】
この発明は、脱穀装置の選別制御装置に関する。
【背景技術】
【０００２】
従来からコンバインの脱穀装置においては、選別制御装置によって選別作用の精度アップが図られている。下記特許文献１には、公知の技術として、次のような選別制御装置が開示されている。
【０００３】
すなわち、「扱室２から漏下した処理物をチャフシーブで受け止めて揺動移送しながら粗選別を行う粗選別部１５と、選別処理物を穀粒と二番物に選別する精選別部１６とを設け、両者の上下中間位置に複数本の篩い線２５を備える中間選別部１７を配設し、唐箕７からの選別風の一部を前記両者の間に導入可能な開口部３０を形成し、選別風の開口部３０への導入量を増減可能な風向板３１と、風向板３１の姿勢変更手段Ｍを設け、処理量検出センサＳの検出結果に基づいて、処理物の量が多くなるに伴って、風向板３１が選別風の開口部３０への導入量を増大させる姿勢になり、処理物の量が少なくなるに伴って、風向板３１が導入量を減少させる姿勢になるように姿勢変更手段Ｍを制御する制御装置２８を設けてある。」と記載されている。
【０００４】
そして、その目的として、「唐箕の出力が無駄に消費されることを防止できるから処理物の量の大小にかかわらず選別能力を高く維持できる脱穀装置における揺動選別装置を提供する。」と記載されている。
【先行技術文献】
【特許文献】
【０００５】
【特許文献１】特開平７−２７４６９６号公開特許公報
【発明の概要】
【発明が解決しようとする課題】
【０００６】
従来の揺動選別装置の構成は、上記特許文献１に開示されているように、唐箕の選別風の吹き出し口の上下の中間位置に一枚の風向案内板を設け、この風向案内板の姿勢（角度）を調節変更して、唐箕から吹き出す選別風の層の中間部分の流れる方向を変える構成であって、選別風誘導路の上部から吹き出す選別風の方向を変更することにはならず、選別風全体の流れの方向が変わらないために、目的とする風選別の効率が上がらない。
【０００７】
そして、脱穀装置の選別室において、処理物の量を正確に把握するためには、主として、一度、脱穀選別を受けた後、二番処理室から排出される処理物を検出するのが適しており、従来装置のように、扱室からの漏下物の量を検出すると、誤差が大きく実態に合わない場合が生じる。
【０００８】
更に、従来装置は、選別室における処理物の量が減少したときに、選別風を揺動選別装置の終端側に送風すると、排塵作用に伴って機外への三番飛散が増加し、多くのロスが発生する。
【課題を解決するための手段】
【０００９】
この発明は、上記課題を解決するために、次のような技術的手段を講じる。
【００１０】
即ち、請求項１記載の発明は、穀稈を脱穀する扱室（１）に二番物処理用の二番処理室（２）を併設し、該扱室（１）及び二番処理室（２）の下方に備える選別室（３）には、上側に揺動選別装置（４）を設け、該揺動選別装置（４）の下側に、選別方向上手側から圧風唐箕（５）、一番移送螺旋軸（６）、二番移送螺旋軸（７）の順に設け、前記圧風唐箕（５）の選別風の吹き出し側に、該選別風の吹き出し方向を調節する上下一対の風向案内板（８，９）を設け、該上下一対の風向案内板（８，９）の間に選別風誘導路（１０）を形成し、前記二番処理室（２）から選別室（３）に排出される処理物を含む揺動選別装置（４）上の処理物の量を検出するセンサ（１１）を設け、該センサ（１１）によって検出される処理物の量に基づいて前記上下一対の風向案内板（８，９）の傾斜角度を調節して選別風誘導路（１０）からの選別風の吹き出し方向を自動的に変更する構成としたことを特徴とする脱穀装置の選別制御装置としたものである。
【００１１】
二番処理室（２）から選別室（３）に排出される処理物を含む揺動選別装置（４）上の処理物の量を検出して、選別風誘導路（１０）の選別風吹き出し方向を制御するから、選別風全体が層状に吹き出す方向が調節され、きわめて効果的に選別することができる。
【００１２】
請求項２記載の発明は、前記センサ（１１）によって検出される処理物の量が基準値に対して多くなるほど選別風の吹き出し方向を選別方向下手側の部位に向け、前記センサ（１１）によって検出される処理物の量が基準値に対して少なくなると、選別風の吹き出し方向を選別方向上手側の部位に向けるように、センサ（１１）によって検出される処理物の量に基づいて前記上下一対の風向案内板（８，９）の傾斜角度を自動的に制御する構成としたことを特徴とする請求項１記載の脱穀装置の選別制御装置としたものである。
【００１３】
この発明によれば、選別室（３）に排出される二番処理物が多いときには、選別風を下手側の部位に向け、一番移送螺旋軸（６）の上方を通して選別方向の棚先側に送るから、一番物の選別が良好に行われ、排塵物を排塵ファン側に誘導して排塵作用を促進できるものとなっている。
【００１４】
逆に、処理物の量が少なくなると、選別風は、選別方向の上手側の部位に向けられ、揺動棚先方向への選別風を少なくして機外飛散を抑えるものとなる。
【００１５】
請求項３記載の発明は、前記上下一対の風向案内板（８，９）は、夫々の回動の中心となる支点軸（１２，１３）を、前記選別風誘導路（１０）から離れた部位に配置し、該支点軸（１２，１３）が前記選別風誘導路（１０）内を通過する選別風に影響を与えない構成としたことを特徴とする請求項１記載の脱穀装置の選別制御装置としたものである。
【００１６】
この発明は、選別風誘導路（１０）内に障害物をなくし、特に、上下の風向案内板（８，９）の支点軸（１２，１３）を選別風誘導路（１０）内に設けない構成とすることによって、風路の途中で選別風に渦流等の発生をなくするものとしている。
【００１７】
請求項４記載の発明は、前記上下一対の風向案内板（８，９）は、制御信号に基づいて作動する制御モータ（１４）から伝動装置（１５）とリンク機構（１６）とを介して傾斜調節する構成とし、前記制御モータ（１４）、伝動装置（１５）、及びリンク機構（１６）は、脱穀装置（１７）の右側板（１９）の伝動装置（１８）を避けた部位に装備したことを特徴とする請求項１記載の脱穀装置の選別制御装置としたものである。
【００１８】
制御モータ（１４）とこれに関連する一連の装置を簡潔にまとめて、脱穀ベルト等のない脱穀装置（１７）の右側板（１９）に装備して安定した制御を行うものである。
【発明の効果】
【００１９】
請求項１記載の発明によると、二番処理室（２）から選別室（３）に排出される処理物を含む揺動選別装置（４）上の処理物の量を検出して、選別風誘導路（１０）の選別風吹き出し方向を制御するから、圧風唐箕（５）から吹き出す選別風全体の吹き出し方向を変え、選別精度を高めることができる。そして、二番処理室（２）から選別室（３）へ排出された処理物を含む揺動選別装置（４）上の処理物の量を検出するものであり、この二番処理室（２）から選別室（３）へ排出された処理物は、一度、選別過程を経ており、単なる藁屑等の嵩張る夾雑物が取り除かれた実質の処理物であって、検出誤差が発生しにくいため、選別制御の精度を高めることができる。
【００２０】
そして、請求項２記載の発明によると、上記請求項１記載の発明の効果に加え、選別室（３）に排出される二番処理物が多いときには、選別風を一番移送螺旋軸（６）の上方を通して下手側の部位に向けて送るから、一番移送螺旋軸（６）上方の風選作用が良好に行われると共に、排塵物を排塵ファン側に誘導して、多量の処理物を選別処理するために排塵処理作用を促進できる。
【００２１】
逆に、処理物の量が少なくなると、選別風は、選別方向上手側の部位に向けて送られて、揺動選別装置終端方向への選別風を少なくして、少量で飛びやすい処理物の機外飛散を抑えることができる。
【００２２】
そして、請求項３記載の発明によると、上記請求項１記載の発明の効果に加え、選別風誘導路（１０）内に障害物をなくし、特に、上下の風向案内板（８，９）の支点軸（１２，１３）を選別風誘導路（１０）内に設けない構成とすることによって、風路の途中に障害物がなくして選別風に渦流等の発生がないから、適確な選別作用を発揮できる。
【００２３】
そして、請求項４記載の発明によると、上記請求項１記載の発明の効果に加え、制御モータ（１４）とこれに関連する一連の装置を簡潔にまとめて、脱穀ベルト等の脱穀装置の伝動機構がない側に設けることにより、確実に設置ができ、安定した制御を行うことができる。
【図面の簡単な説明】
【００２４】
【図１】要部の作用を示す脱穀装置の側断面図
【図２】脱穀装置の正断面図
【図３】脱穀装置の平断面図
【図４】制御モータと風向案内板の作用側面図
【図５】実施例の揺動選別装置の平面図
【図６】前部シーブとスクレパーの平面図
【図７】前図６の切断側面図。
【発明を実施するための形態】
【００２５】
以下、この発明の実施例を図面に基づいて具体的に説明する。
【００２６】
まず、コンバインに搭載する脱穀装置１７は、図１、乃至図３に示すように、上部に扱胴２１を軸架した扱室１を設け、その背後に前側に二番処理室２を、該二番処理室２の後方に排塵処理室２２を併設して構成している。２３は二番処理胴、２４は排塵処理胴を示している。
【００２７】
そして、選別室３は、図面に示すように、前記扱室１、二番処理室２、及び排塵処理室２２の下側に配置して設け、扱室１、以下の各処理室２、２２から排塵された処理物を選別処理を行う構成としている。そして、揺動選別装置４は、選別室３の上部に揺動選別が出来るように装置し、選別方向の上手側から移送板２６、固定の前部シーブ２７、漏下目合を調節可能にしたメインシーブ２８、先端部にストローラック２９をそれぞれ配置して設けた構成としている。
【００２８】
実施例の場合、揺動選別装置４は、下側の選別板２５より前側部分を藁屑や穀粒が漏らない程度の大きさの孔を形成し、選別風が通過できる構成にしている。
【００２９】
そして、選別室３は、前記揺動選別装置４の下側に、選別方向の上手側から圧風唐箕５、一番移送螺旋軸６、二番移送螺旋軸７の順に軸装して設け、選別作用ができる構成としている。
【００３０】
そして、排塵装置３０は、図１、及び図３に示すように、吸塵ファンから構成され、前記選別室３の後部において、揺動選別装置４の上方で、前記した排塵処理室２２に対向する側の側板に装備し、伝動ベルト３１によって伝動される構成としている。そして、排塵装置３０は、吸塵口３２を、前記排塵処理室２２の排塵口に対向させ、メインシーブ２８の後部からストローラック２９の側部上方に設けて構成している。
【００３１】
３３は排塵口であって、機体の後部外側に排塵できるように開口した構成としている。
【００３２】
そして、二番揚穀装置３５は、図１、及び図２に示すように、搬送始端部である下部を前記二番移送螺旋軸７の一側部（右側）に連通させ、上方に延長して搬送終端部である上部を、前記二番処理室２の始端部に開口させて連通し、選別室３で収集された二番物を揚穀して還元する構成としている。
【００３３】
３６はフィードチェンである。
【００３４】
そして、脱穀装置１７の伝動装置１５は、図３に示すように、機体の左側の側板３７側にまとめて、伝動ベルト、３１、３８を設けて伝動する構成としている。
【００３５】
つぎに、選別風誘導路１０は、図１、及び図２に示すように、圧風唐箕５と一番移送螺旋軸６との間における選別風の吹き出し口において、上側の風向案内板８と下側の風向案内板９との上下一対によって選別風を案内する風路を構成している。そして、上の風向案内板８は、基部側（圧風唐箕５側）で風路の外側に軸装した支点軸１２に回動自在に取り付け、下の風向案内板９は、断面中空状に形成して風路の邪魔をしない内空部に支点軸１３を取り付けて設け、両者を一体回動ができるように連杆４０で連結した構成としている。このように、実施例は、両方の支点軸１２，１３は、前記選別風誘導路１０から外して流動する選別風に影響を与えない位置に軸架した構成としている。
【００３６】
この場合、上側の風向案内板８は、支点軸１２が上手側に設けているから下手側（風下側）の回動角が大きく取れるものとなって効果が大きく、更に、下手側の端部４１を上側に折り曲げて唐箕ケーシング４２の内側に配置して、後述の制御調節により移動する全範囲で内側に位置する構成としている。したがって、上側の風向案内板８は、選別風を乱すことはなく、風路の方向が変更できる。
【００３７】
そして、前述のとおり、上側の風向案内板８は、板状であるのに対して、下側の風向案内板９は、断面中空状に形成して外側を膨出させて下側の唐箕ケーシング４２との間が平行風路になる構成として、選別風の乱れをなくする工夫をしている。
【００３８】
このように構成した上下一対の風向案内板８，９は、図４に示すように、制御モータ１４側から、伝動装置１５、すなわち、ピニオン４３と半円ギヤ４４とを噛合させ、更に、該半円ギヤ４４からロッド４５を、前記連杆４０に連結してリンク機構１６を構成している。
【００３９】
したがって、上下一対の風向案内板８，９は、図４において、制御信号に基づいて制御モータ１４が、正転、又は逆転方向に駆動されると、ピニオン４３から半円ギヤ４４、ロッド４５、連杆４０を介して支点軸１２，１３を回動支点にして同じ方向に回動調節される。そのため、選別風誘導路１０は、揺動選別装置４の基部側から棚先に向かう選別方向に対して、上手側から下手側の範囲に角度が変わり選別風の流れを制御できるものとなっている。尚、前記半円ギヤ４４の回動位置を検出するポテンショメータ４４ａを設ける。
【００４０】
以上述べた上記構成は、前記制御モータ１４、伝動装置１５、及びリンク機構１６を、脱穀装置１７の右側板１９の伝動装置１８を避けた部位に装備している。したがって、制御モータ１４とこれに関連する一連の装置は、全体がコンパクトにまとめられ、脱穀装置１７の伝動装置１８に何ら影響を与えることなく構成できた。
【００４１】
つぎに、センサ１１は、図１、乃至図３に示すように、前記二番処理室２から選別室３に排出される処理物を含む揺動選別装置４上の処理物の量を検出するために、前記揺動選別装置４の上側に設けている。すなわち、センサ１１は、図面に示すように、二番処理室２から排出される処理物の流れを揺動選別装置４の中央側に寄せる寄せ板４７に沿わせて取り付けた構成としている。このように構成すると、センサ１１は、二番処理室２から選別室３側に排出されて揺動選別装置４の中心方向に送られる状態の初期の処理物量が適確に検出できるものとなり、検出誤差がほとんど発生しない。尚、このセンサ１１は樹脂製のフロート形状に形成し、該センサ１１の上下回動量をポテンショメータ１１ａで検出する構成である。
【００４２】
このように構成された脱穀装置１７の選別制御機構は、センサ１１によって、二番処理室２から選別室２に排出された処理物と扱室１から漏下した処理物とによる揺動選別装置４上の処理物の量を検出すると、予め記憶させている基準値に比較しながら選別制御が行われる。その場合、上下一対の風向案内板８，９は、基準値に対比して多量になるほど選別方向下手側に選別風誘導路１０を向けるように制御調節し、逆に、処理物の量が少量になると、選別方向の上手側に選別風を送る角度に、上下一対の風向案内板８，９を制御調節するのである。
【００４３】
そして、実施例に係る上下一対の風向案内板８，９は、処理物量の検出値が予め設定している基準値をオーバーした場合には、最大の位置を維持する制御が出来る構成としている。これは、処理物量が最大の場合でも、逆に、最小の場合でも同様に制御するもので、位置を維持する制御をすることによって、ハンチングの防止を図る特徴がある。
【００４４】
つぎに、図５、乃至図７に示した実施例は、前部シーブ２７のシーブ作用面（上面）を清掃するシーブスクレパー５０に関するものである。そして、シーブスクレパー５０は、図６、及び図７に示すように、前部シーブ２７の上面に嵌合させて左右に往復移動させてスクレパー作用が出来る構成としている。実施例の場合、シーブスクレパー５０は、図５に示すように、左右２本のワイヤー５１と揺動リンク機構５２とを組み合わせて、ワイヤー５１の操作で揺動リンク機構５２を左右に揺動させて前部シーブ２７の上面を左右移動してスクレパー作用によって清掃するものである。
【符号の説明】
【００４５】
１  扱室
２  二番処理室
３  選別室
４  揺動選別装置
５  圧風唐箕
６  一番移送螺旋軸
７  二番移送螺旋軸
８  風向案内板
９  風向案内板
１０  選別風誘導路
１１  センサ
１２  支点軸
１３  支点軸
１４  制御モータ
１５  伝動装置
１６  リンク機構
１７  脱穀装置
１８  伝動装置
１９  機体右側板
【図１】
2011200174.tif 000003
【図２】
2011200174.tif 000004
【図３】
2011200174.tif 000005
【図４】
2011200174.tif 000006
【図５】
2011200174.tif 000007
【図６】
2011200174.tif 000008
【図７】
2011200174.tif 000009